(57)【要約】【課題】回動する強弱にかかわらず常に一旦回動が所定回動位置で阻止され、更に回動したい時は一旦逆回動すれば今度は阻止されることなくスムーズに更なる回動が可能となるヒンジ装置を提供すること。【解決手段】第一部材１に案内カム部３を設け、この案内カム部３に対して相対回動しこの案内カム部３により案内されるカム部４を第二部材２に設け、前記案内カム部３の回動案内範囲の途中に前記カム部４の回動を阻止する途中ストッパー部５を設け、この途中ストッパー部５により回動途中で阻止された前記カム部４を戻り方向に逆回動した際、前記途中ストッパー部５を避ける別ルート案内部６に案内する逆回動ルート変更部７を設けたヒンジ装置。【選択図】図１６
2008101760.tif 000002
【特許請求の範囲】
【請求項１】
第一部材と第二部材とを回動自在に連結するヒンジ装置であって、第一部材若しくは第一部材に設ける第一連結部に案内カム部を設け、第一部材に対して第二部材を相対回動することで、前記案内カム部に対して相対回動しこの案内カム部により案内されるカム部を第二部材若しくは第二部材に設ける第二連結部に設け、前記案内カム部の回動案内範囲の途中に前記カム部の回動を阻止する途中ストッパー部を設け、この途中ストッパー部により回動途中で阻止された前記カム部を戻り方向に逆回動した際、前記途中ストッパー部を避ける別ルート案内部に案内する逆回動ルート変更部を前記途中ストッパー部に連設し、この逆回動ルート変更部に前記別ルート案内部を連設して、前記カム部は前記別ルート案内部により前記途中ストッパー部によって回動阻止されることなく更に回動するように構成し、少なくともカム部を回動始点位置まで戻り方向に逆回動させた際には前記カム部は前記途中ストッパー部により回動途中で阻止される通常ルート案内部に再度案内されるように構成したことを特徴とするヒンジ装置。
【請求項２】
前記案内カム部若しくは前記カム部を径方向に移動自在に構成し、前記カム部の回動若しくは逆回動によって案内ルートが変更するに際して径方向に移動するように構成したことを特徴とする請求項１記載のヒンジ装置。
【請求項３】
前記案内カム部に設けられた回動方向に対して傾斜したテーパ壁面に、相対回動する前記カム部が押圧することでこのテーパ壁面を設けた案内カム部若しくは前記カム部が付勢に抗して前記径方向に移動することにより若しくはこの付勢によって径方向に戻り動することにより前記カム部の案内ルートが変更されるように構成したことを特徴とする請求項２記載のヒンジ装置。
【請求項４】
前記カム部を前記案内カム部の案内底面に付勢押圧する弾性部を設けたことを特徴とする請求項１〜３のいずれか１項に記載のヒンジ装置。
【請求項５】
前記案内カム部の回動案内範囲の途中に前記途中ストッパー部として設けた突き当たるストッパー壁部の直前に前記カム部が係合するストッパー係合部を設け、このストッパー係合部に前記カム部が自重により落ち込み係合若しくは前記弾性部による案内底面への付勢押圧により落ち込み係合または前記径方向への移動付勢により前記カム部に対して前記案内カム部が相対移動することで係合するように構成し、このカム部を戻り方向に逆回動することで前記テーパ壁面によって若しくは付勢による戻り動によって前記案内カム部を径方向に相対移動させつつ前記別ルート案内部にカム部を案内する、または前記ストッパー係合部に前記カム部が係合した時既に前記案内カム部の相対移動によってカム部が前記通常ルート案内部とは異なる位置に案内されているカム部を戻り案内する前記逆回動ルート変更部を設けたことを特徴とする請求項１〜４のいずれか１項に記載のヒンジ装置。
【請求項６】
前記回動案内範囲の終点位置から逆回動して回動始点位置に戻した際、少なくとも前記案内カム部の相対移動によって前記通常ルート案内部の回動始点位置に前記カム部が位置するように構成したことを特徴とする請求項１〜５のいずれか１項に記載のヒンジ装置。
【請求項７】
前記案内カム部を径方向に相対移動自在に構成すると共に、前記カム部が移動する案内面に凹凸形状を設けて、前記通常ルート案内部、前記途中ストッパー部、前記逆回動ルート変更部及び前記別ルート案内部を一体凹凸形成したことを特徴とする請求項１〜６のいずれか１項に記載のヒンジ装置。
【請求項８】
本体部を前記第一部材若しくは前記第二部材とし、前記本体部に重合する重合部を前記第二部材若しくは第一部材とし、この本体部と重合部とを前記請求項１〜６のいずれか１項に記載のヒンジ装置によって連結して前記本体部と前記重合部とを重合した重合閉塞位置から所定角度重合部を起伏回動した回動開放位置で前記途中ストッパー部により回動が阻止され、重合部を一旦回動することで更に開放回動できるように構成したことを特徴とするヒンジ装置を用いた電子機器。
【請求項９】
本体部と重合部とその間に設けるヒンジ基体とを夫々回動自在に連結して本体部に対して重合部をヒンジ基体を介して３６０度回動自在に構成するに際して、前記本体部を第一部材若しくは第二部材とし、ヒンジ基体を前記第二部材若しくは第一部材として前記本体部と前記ヒンジ基体を第一ヒンジ装置で連結し、前記重合部を第一部材若しくは第二部材、ヒンジ基体を第二部材若しくは第一部材として前記重合部と前記ヒンジ基体とを第二ヒンジ装置で連結し、少なくとも前記第一ヒンジ装置若しくは前記第二ヒンジ装置を前記請求項１〜７のいずれか１項に記載のヒンジ装置とし、前記第一ヒンジ装置と前記第二ヒンジ装置とが連動回動するように構成した二つの連動するヒンジ装置から成る二軸ヒンジ装置で前記本体部と前記重合部とを前記ヒンジ基体を介して３６０度回動自在に連結し、前記本体部と前記重合部とを重合した重合閉塞位置から所定角度重合部を起伏回動した回動開放位置で前記途中ストッパー部により回動が阻止され、重合部を一旦逆回動することで更に開放回動でき互いに背合わせ重合した３６０度開放重合位置まで回動できるように構成した請求項８記載のヒンジ装置を用いた電子機器。
【発明の詳細な説明】
【技術分野】
【０００１】
本発明は、例えば、携帯電話やノート型パソコン等の折り畳み型の電子機器の枢着部に設けるヒンジ装置並びにこのヒンジ装置を用いた電子機器に係るものである。
【背景技術】
【０００２】
二つの部材の端部同志をヒンジ装置で連結して例えば重合状態から一方の部材に対して他方の部材を回動する場合、所定回動位置（使用位置）でその回動位置が保持される係合クリック機構を設ける場合がある。
【０００３】
例えば、携帯電話等の電子機器において操作部を設けた本体部とディスプレイ部を設けた重合部とを重合した重合閉塞状態から、重合部を起伏回動して１８０度あるいは互いに背合わせとなる３６０度開放回動できるようにヒンジ装置を構成する場合（３６０度の場合は互いに連動させる第一ヒンジ装置と第二ヒンジ装置とによる二軸構成のヒンジ装置とする)、例えば電話として使用する１６０度開放位置付近で係合クリックしてその位置が保持されると共に、重合閉塞状態の時係合クリック途中となって閉じ付勢が生じる係合クリック機構をヒンジ装置に組み込む場合がある。
【０００４】
この場合は、一方の部材と共に回動するカム係合部と、他方の部材と共に回動するカム部とを係脱自在に付勢凹凸係合するように構成し、この付勢によって所定回動位置で吸い込まれるように凹凸係合（カム係合）することで係合クリック（保持）されるように構成するが、勢い余れば凹凸係合から再び脱して更に回動する。
【０００５】
例えば、手で開放回動する場合、回動する力が強ければクリック係合する位置を超えて過回動してしまうし、回動バネ付勢によってボタンを押すとこのバネロックが外れて自動的に回動させる構成の場合も、この回動バネの付勢力が強すぎると過回動してしまう。
【０００６】
この力加減や調整設定は煩わしかったり難しいため、結局このカム係合、即ち凹凸係合を深くし、この凹凸係合付勢力も大きくし、回動力が強くても確実にその位置で必ず一旦係合クリックされるように構成しなければならない。
【０００７】
そのため、逆に更に回動しようとする場合、カム係合の係脱に力を要してしまうことになるし、逆にこのカム係合から係脱させることを容易にして重合部の開放回動や戻り回動をスムーズにしてしまうと前述のように係合クリックが確実に行われず、開放回動に際して加減しないとしばしば過回動してしまうことになり、使いづらいことになる。
【発明の開示】
【発明が解決しようとする課題】
【０００８】
本発明は、このような問題点を見い出しこれを解決するもので、回動させる大きさとはおよそ無関係にして常に確実に所定回動位置、例えば使用に際して適切な回動開放位置で必ず一旦回動停止し、場合によっては常に必ず開放回動すると所定位置で一旦係合クリックし、過回動はできず、しかしながら一旦逆回動した後再び更に回動すると今度はスムーズに過回動できる。言い換えるとおよそ回動する強弱にかかわらず常に一旦回動が所定回動位置で阻止され、更に回動したい時は一旦逆回動すれば今度は阻止されることなくスムーズに更なる回動が可能となる画期的なヒンジ装置並びにヒンジ装置を用いた電子機器を提供することを目的としている。
【課題を解決するための手段】
【０００９】
添付図面を参照して本発明の要旨を説明する。
【００１０】
第一部材１と第二部材２とを回動自在に連結するヒンジ装置であって、第一部材１若しくは第一部材１に設ける第一連結部１Ａに案内カム部３を設け、第一部材１に対して第二部材２を相対回動することで、前記案内カム部３に対して相対回動しこの案内カム部３により案内されるカム部４を第二部材２若しくは第二部材２に設ける第二連結部２Ａに設け、前記案内カム部３の回動案内範囲の途中に前記カム部４の回動を阻止する途中ストッパー部５を設け、この途中ストッパー部５により回動途中で阻止された前記カム部４を戻り方向に逆回動した際、前記途中ストッパー部５を避ける別ルート案内部６に案内する逆回動ルート変更部７を前記途中ストッパー部５に連設し、この逆回動ルート変更部７に前記別ルート案内部６を連設して、前記カム部４は前記別ルート案内部６により前記途中ストッパー部５によって回動阻止されることなく更に回動するように構成し、少なくともカム部４を回動始点位置まで戻り方向に逆回動させた際には前記カム部４は前記途中ストッパー部５により回動途中で阻止される通常ルート案内部８に再度案内されるように構成したことを特徴とするヒンジ装置に係るものである。
【００１１】
また、前記案内カム部３若しくは前記カム部４を径方向に移動自在に構成し、前記カム部４の回動若しくは逆回動によって案内ルートが変更するに際して径方向に移動するように構成したことを特徴とする請求項１記載のヒンジ装置に係るものである。
【００１２】
また、前記案内カム部３に設けられた回動方向に対して傾斜したテーパ壁面９に、相対回動する前記カム部４が押圧することでこのテーパ壁面９を設けた案内カム部３若しくは前記カム部４が付勢に抗して前記径方向に移動することにより若しくはこの付勢によって径方向に戻り動することにより前記カム部４の案内ルートが変更されるように構成したことを特徴とする請求項２記載のヒンジ装置に係るものである。
【００１３】
また、前記カム部４を前記案内カム部３の案内底面に付勢押圧する弾性部10を設けたことを特徴とする請求項１〜３のいずれか１項に記載のヒンジ装置に係るものである。
【００１４】
また、前記案内カム部３の回動案内範囲の途中に前記途中ストッパー部５として設けた突き当たるストッパー壁部11の直前に前記カム部４が係合するストッパー係合部12を設け、このストッパー係合部12に前記カム部４が自重により落ち込み係合若しくは前記弾性部10による案内底面への付勢押圧により落ち込み係合または前記径方向への移動付勢により前記カム部４に対して前記案内カム部３が相対移動することで係合するように構成し、このカム部４を戻り方向に逆回動することで前記テーパ壁面９によって若しくは付勢による戻り動によって前記案内カム部３を径方向に相対移動させつつ前記別ルート案内部６にカム部４を案内する、または前記ストッパー係合部12に前記カム部４が係合した時既に前記案内カム部３の相対移動によってカム部４が前記通常ルート案内部８とは異なる位置に案内されているカム部４を戻り案内する前記逆回動ルート変更部７を設けたことを特徴とする請求項１〜４のいずれか１項に記載のヒンジ装置に係るものである。
【００１５】
また、前記回動案内範囲の終点位置から逆回動して回動始点位置に戻した際、少なくとも前記案内カム部３の相対移動によって前記通常ルート案内部８の回動始点位置に前記カム部４が位置するように構成したことを特徴とする請求項１〜５のいずれか１項に記載のヒンジ装置に係るものである。
【００１６】
また、前記案内カム部３を径方向に相対移動自在に構成すると共に、前記カム部４が移動する案内面に凹凸形状を設けて、前記通常ルート案内部８、前記途中ストッパー部５、前記逆回動ルート変更部７及び前記別ルート案内部６を一体凹凸形成したことを特徴とする請求項１〜６のいずれか１項に記載のヒンジ装置に係るものである。
【００１７】
また、本体部を前記第一部材１若しくは前記第二部材２とし、前記本体部に重合する重合部を前記第二部材２若しくは第一部材１とし、この本体部と重合部とを前記請求項１〜６のいずれか１項に記載のヒンジ装置によって連結して前記本体部と前記重合部とを重合した重合閉塞位置から所定角度重合部を起伏回動した回動開放位置で前記途中ストッパー部５により回動が阻止され、重合部を一旦回動することで更に開放回動できるように構成したことを特徴とするヒンジ装置を用いた電子機器に係るものである。
【００１８】
また、本体部と重合部とその間に設けるヒンジ基体13とを夫々回動自在に連結して本体部に対して重合部をヒンジ基体13を介して３６０度回動自在に構成するに際して、前記本体部を第一部材１若しくは第二部材２とし、ヒンジ基体13を前記第二部材２若しくは第一部材１として前記本体部と前記ヒンジ基体13を第一ヒンジ装置で連結し、前記重合部を第一部材１若しくは第二部材２、ヒンジ基体13を第二部材２若しくは第一部材１として前記重合部と前記ヒンジ基体13とを第二ヒンジ装置で連結し、少なくとも前記第一ヒンジ装置若しくは前記第二ヒンジ装置を前記請求項１〜７のいずれか１項に記載のヒンジ装置とし、前記第一ヒンジ装置と前記第二ヒンジ装置とが連動回動するように構成した二つの連動するヒンジ装置から成る二軸ヒンジ装置で前記本体部と前記重合部とを前記ヒンジ基体13を介して３６０度回動自在に連結し、前記本体部と前記重合部とを重合した重合閉塞位置から所定角度重合部を起伏回動した回動開放位置で前記途中ストッパー部５により回動が阻止され、重合部を一旦逆回動することで更に開放回動でき互いに背合わせ重合した３６０度開放重合位置まで回動できるように構成した請求項８記載のヒンジ装置を用いた電子機器に係るものである。
【発明の効果】
【００１９】
本発明は上述のように構成したから、およそ回動する強弱にかかわらず常に一旦回動が所定回動位置で阻止され、更に回動したい時は一旦逆回動すれば今度は阻止されることなくスムーズに更なる回動が可能となる画期的なヒンジ装置並びにヒンジ装置を用いた電子機器となる。
【００２０】
即ち、本発明は、ヒンジ装置に組み込まれ、一方の部材と共に回動する案内カム部と、この案内カム部に案内され他方の部材と共に回動するカム部とを設け、このヒンジ装置の案内カム部とカム部との構成を前述のように設定することによってカム部の案内カム部に対する回動が規制されて逆回動によって案内ルートが変更して前述のような動作を行う構成が実現でき、常に確実に所定回動位置で回動停止するが、スムーズに更なる回動も行える画期的なヒンジ装置となる。
【００２１】
また、請求項２〜７記載の発明においては、一層本発明を容易に実現できる秀れたヒンジ装置となる。
【００２２】
即ち、請求項２記載の発明においては、案内カム部及びこれに案内されるカム部の形状を設定し、少なくともいずれかを径方向に移動自在に構成し、例えば請求項３記載の発明のように相対回動するカム部が案内カム部のテーパ壁面を押圧することで案内カム部が付勢に抗して径方向に相対移動することでカム部の案内ルートが変更するように構成するため、前記作用・効果を発揮する構成を極めて容易に実現できる一層秀れたヒンジ装置となる。
【００２３】
また、請求項４記載の発明においては、案内カム部に対してカム部が付勢押圧当接するため回動阻止や規制案内によるルート変更等が誤作動なく一層確実に果たされ、一層秀れたヒンジ装置となる。
【００２４】
また、請求項５記載の発明においては、更に案内カム部にカム部が落ち込み係合するストッパー係合部を設け、カム部には単に回動阻止される位置で確実にこのストッパー係合部への係合によって保持され、またこのカム部の係合やルート変更等も一層確実に果される構成を簡易な構成によって確実に実現でき、一層実用性に秀れたヒンジ装置となる。
【００２５】
また、請求項６記載の発明においては、少なくとも元の回動位置に戻せば、再び所定回動位置で必ず回動阻止される初期状態に戻るように構成されるため特別な切り替え操作も不要となり、操作性がよく一層秀れたヒンジ装置となる。
【００２６】
また、請求項７記載の発明においては、単に径方向に移動自在に設ける案内カム部の形状設定により実現でき、一層量産性に秀れ実用性に秀れたヒンジ装置となる。
【００２７】
また、請求項８，９記載の発明においては、前記作用・効果を発揮するヒンジ装置を用いた電子機器となる。
【００２８】
即ち、例えば携帯電話やノート形パソコン等において使用状態位置で必ず一旦回動停止するが、単に一旦逆回動するだけでスムーズに更なる回動が行え、特に請求項９記載の発明のように３６０度開放回動できる構成の場合、即ち使用位置から更に回動をさせる場合や使用位置が一ヵ所でなく更に回動した位置に更に使用位置があって更なる回動をしたい場合等においても必ず一旦最初の使用位置で回動停止され、回動の強弱にかかわらず一旦停止する構成でありながら、少し逆回動すれば今度は更なる回動がスムーズに行える極めて画期的なヒンジ装置を用いた電子機器となる。
【発明を実施するための最良の形態】
【００２９】
好適と考える本発明の実施形態（発明をどのように実施するか）を、図面に基づいて本発明の作用を示して簡単に説明する。
【００３０】
第一部材１に対して第二部材２を回動すると、案内カム部３に対してカム部４が案内されて回動するが、このカム部４は案内カム部３の通常ルート案内部８に沿って案内され、およそ回動させる力の強弱にかかわらず、必ず通常ルート案内部８の途中の所定回動位置に設けた途中ストッパー部５によって回動が阻止される。
【００３１】
従って、手で回動する場合でも回動バネによって自動回動する場合であっても過回動することなく途中ストッパー部５を設けた所定回動位置で必ず一旦回動が阻止され過回動できず止まることとなる。
【００３２】
例えば、重合閉塞状態から使用状態の位置の回動開放位置（例えば１６０度開放位置）に途中ストッパー部５を設けることにより、第一部材１に対して第二部材２を回動すれば、必ず案内カム部３の通常ルート案内部８に対してカム部４は案内され、使用状態位置となる回動開放位置に設けた途中ストッパー部５によってカム部４の相対回動は阻止されて、第一部材１に対する第二部材２の相対回動は阻止され、必ず一旦回動停止することとなる。
【００３３】
従って、この途中ストッパー部５で回動阻止される位置にカム部４が係合するストッパー係合部12、あるいは別に設けた係合クリック機構にこの途中ストッパー部５で回動阻止される回動位置で係合クリックする係合部を更に設ければ、必ずこの所定回動開放位置で係合クリックされることとなり、更に回動しようとしても回動できない状態にしてこの回動位置が係合保持される。
【００３４】
しかし本発明では、一旦第二部材２を逆回動させるだけでカム部４は逆回動ルート変更部７によって、今度は前記途中ストッパー部５によって回動が阻止されない別ルート案内部６に案内され、この別ルート案内部６に沿って更なる回動ができることとなる。
【００３５】
即ち、一旦途中ストッパー部５によって必ず回動が阻止され、第一部材１に対して第二部材２は所定回動位置で必ず停止するが、第二部材２を戻り回動させれば、逆回動ルート変更部７によってカム部４が通常ルート案内部８から別ルート案内部６に移動してルート変更されるから、一旦戻り回動することで、カム部４は今度は前記途中ストッパー部５に阻止されることがなく途中ストッパー部５の位置を超えてスムーズに更なる回動できることとなる。
【００３６】
例えば回動方向に対して傾斜したテーパ壁面９を案内カム部３に設け、カム部４がこのテーパ壁面９を回動時に押圧することで例えばカム部４に対して案内カム部３が径方向に相対移動することでカム部４の案内ルートが変更したり、再び戻り回動して回動始点位置にくると通常ルート案内部８に再び変更したりするように構成する。
【００３７】
このように本発明は、ヒンジ装置の構成によって常に確実に所定回動位置で回動停止し例えば更にその位置で係合クリックできるように構成でき、しかもこの係脱がスムーズに行えなくなるようなことはなく、回動させる力の大小にかかわらず常に所定回動位置で回動停止し、そして一旦少し逆回動させれば自動的にこのストッパーが解除され、今度は前記途中ストッパー部５の位置を超えてスムーズに更なる回動が可能となる構成を、ヒンジ装置の構成によって実現できる画期的なヒンジ装置並びにヒンジ装置を用いた電子機器となる。
【実施例１】
【００３８】
本発明の具体的な実施例１について図面に基づいて説明する。
第一部材１と第二部材２とを回動自在に連結する本実施例のヒンジ装置は、第一部材１に設ける第一連結部１Ａに径方向に移動自在に案内カム部３を設け（直接設ける場合のみならず第一部材１と共に回動するように設ける場合を含む意味である)、この案内カム部３に対して相対回動しこの案内カム部３により案内されるカム部４を軸方向にスライド自在に第二部材２に設ける第二連結部２Ａに設けている。
【００３９】
本実施例では、第一部材１に回り止め状態に設ける第一連結部１Ａとしての筒状のヒンジケース１Ａ内に軸受部20を設け、この軸受部20に回動自在に軸支される回動軸21を設けた第二連結部２Ａを第二部材２に設ける構成とし、前記ヒンジケース１Ａに設けた案内溝22に案内されて径方向に移動自在に案内カム部３を設けている。この案内溝22は軸方向と直交する径方向に対して傾斜する方向に形成されていて案内カム部３に設けた係合ピン23が係合し、この案内溝22に係合ピン23が沿うことで、軸方向にスライドしつつこの軸に対して接離する径方向に案内カム部３が移動する（斜めに移動して回動軸21から接離する）ように構成している。
【００４０】
この案内カム部３に軸方向から当接するカム部４を前記第二連結部２Ａに設けた回動軸21に回り止め状態にして回動軸21に沿ってスライド自在に設け、この回動軸21に回り止め状態に通したカム部４を案内カム部３に押圧付勢する弾性部10としてのバネ10を回動軸21に被嵌している。
【００４１】
従って、第一部材１に対して第二部材２を回動すると、案内カム部３に対してカム部４がバネ10による付勢によって押圧当接した状態で回動軸21と共に回動し、案内カム部３の表面に設けた案内ルートに沿ってカム部４が案内されて回動する構成としている。
【００４２】
また本実施例では、このカム部４に案内カム部３を押圧するバネ10を案内カム部３が径方向の回動軸21から離れる方向に移動する際の抗力、回動軸21に接近しようとする付勢力としても利用している。
【００４３】
即ち、バネ10とは別の弾性部を設けても良いが、本実施例では前記案内溝22を傾斜状態に設けることで、カム部４を介して案内カム部３を前記バネ10により軸方向に押圧することでこの案内溝22に沿って案内カム部３は回動軸21に接近する方向に付勢され、逆に回動軸21から離れる方向に移動する場合には、このバネ10、即ち案内カム部３に対してカム部４を押し付ける付勢力に抗して案内カム部３を径方向の回動軸21から離れる方向に移動するように構成している。
【００４４】
本実施例では、このように構成した案内カム部３の回動案内範囲の途中に前記カム部４の回動を阻止する途中ストッパー部５を設けている。
【００４５】
本実施例では、案内カム部３の表面に設けた通常ルート案内部８の途中に前記カム部４が相対回動することを阻止する突き当たるストッパー壁部11を設けて途中ストッパー部５を構成している。即ち、弾性部10によってカム部４を案内カム部３に押し付けながらカム部４が所定角度回動すると突き当たるストッパー壁部11を案内カム部３の表面に一体突出形成している。また弾性部10によりカム部４は案内カム部３に押し付けられているため、突き当たるストッパー壁部11を超えることなく常に確実に回動阻止されることとなる。
【００４６】
そしてこの途中ストッパー部５により回動途中で阻止された前記カム部４を戻り方向に逆回動した際、前記途中ストッパー部５を避ける別ルート案内部６に案内する逆回動ルート変更部７を途中ストッパー部５に連設し、この逆回動ルート変更部７に前記別ルート案内部６を連設して、カム部４は別ルート案内部６により途中ストッパー部５によって回動阻止されることなく更に回動するように構成し、少なくともカム部４を回動始点位置まで戻り方向に逆回動させた際にはカム部４は途中ストッパー部５により回動途中で阻止される通常ルート案内部８に再度案内されるように構成している。
【００４７】
本実施例では、カム部４の逆回動によって案内ルートが通常ルート案内部８から別ルート案内部６に変更するに際して前記案内カム部３が付勢に抗して案内溝22に沿って径方向に（回動軸21から離れる方向に付勢に抗して）移動するように構成している。
【００４８】
更に説明すると、回動方向に対して傾斜したテーパ壁面９に、相対回動するカム部４が押圧することで、このテーパ壁面９を設けた前記案内カム部３が付勢に抗して前記径方向に移動することにより前記カム部４の回動ルートが変更されるように構成している。
【００４９】
具体的には、案内カム部３の回動案内範囲の途中の前記途中ストッパー部５の突き当たるストッパー壁部11の直前にカム部４が係合するストッパー係合部12を設け、このストッパー係合部12にカム部４が前記弾性部10による案内底面への付勢押圧により落ち込み係合するように構成し、このカム部４を戻り方向に逆回動することで前記テーパ壁面９によって案内カム部３を径方向に相対移動させつつ前記別ルート案内部６にカム部４を案内するように構成している。即ち、本実施例では、突き当たるストッパー壁部11とこれと対向するがこれより低いテーパ壁面９とによって通常ルート案内部８に凹状のストッパー係合部12を設け、突き当たるストッパー壁部11（途中ストッパー部５）に突き当たってストッパー係合部12に係合したカム部４を戻り回動すると、カム部４がテーパ壁面９を押圧することでカム部４に対して案内カム部３が径方向に逃動しつつカム部４は戻り動し、通常ルート案内部８から別ルート案内部６にルート変更されるように構成している。
【００５０】
尚、本実施例では、このように途中ストッパー部５により回動阻止された位置にカム部４が落ち込むストッパー係合部12を設けたが、後述する別に設けた係合クリック機構にこの回動阻止された回動位置でカム凹凸係合クリックするように構成しても良い。
【００５１】
従って、一旦途中ストッパー部５によって阻止されたカム部４はそのままストッパー係合部12に落ち込み係合あるいは別に設けた係合クリック機構によって係合クリックして、回動力の強弱にかかわらず必ず途中ストッパー部５によって回動停止すると共に、この回動停止位置が係合クリック（保持）される。この係合クリックした状態から更に過回動させることは途中ストッパー部５によって阻止されているが、本実施例では少し逆回動すると、例えばテーパ壁面９に突き当たり案内カム部３が径方向に付勢に抗して逃動しつつ逆回動ルート変更部７によって通常ルート案内部８から別ルート案内部６へとカム部４は移動してルート変更される。
【００５２】
本実施例ではこのようにストッパー係合部12に係合した後逆回動するとカム部４がテーパ壁面９を押圧することで案内カム部３が弾性部10に抗して径方向に移動するが、前記ストッパー係合部12に前記カム部４が係合した時既に前記案内カム部３が弾性部10による戻り付勢によって相対移動しカム部４の回動ルートが既に通常ルート案内部８から別ルート案内部６に変更されているように構成し、既に案内カム部３が径方向に戻り動した状態でカム部４を戻り回動させて途中ストッパー部５を超える別ルート案内部６へと案内されるように前記逆回動ルート変更部７を構成しても良い。
【００５３】
また、本実施例では、前記回動案内範囲の終点位置から逆回動して回動始点位置に戻した際、少なくとも前記案内カム部３の相対移動によって前記通常ルート案内部８の回動始点位置に前記カム部４が位置するように構成している。
【００５４】
具体的には、本実施例では開放回動した終点位置にくると、今度は径方向の付勢（弾性部10）によって案内カム部３が径方向（回動軸20に近づく方向）に戻り動して通常ルート案内部８に戻りカム部４を戻り回動すると、この回動に際しては途中ストッパー部５の段部を逆方向から飛び落ちストッパー係合部12を飛び超すように構成している。
【００５５】
本実施例では、このように弾性部10によって案内カム部３にカム部４を押し付けつつ案内カム部３の前記カム部４が移動する案内面に凹凸形状を設けて、前記通常ルート案内部８、前記途中ストッパー部５、前記逆回動ルート変更部７及び前記別ルート案内部６を一体凹凸形成し、これによってカム部４の回動を規制しつつテーパ壁面９によって案内カム部３を径方向に移動させたり、戻り付勢によって戻すなどしてカム部４の相対回動によって案内ルートを変更させるように構成している。
【００５６】
更に説明すると繰り返しになるが、本実施例では、案内カム部３の表面に設けた通常ルート案内部８の途中にカム部４が係合するストッパー係合部12を凹設し、このストッパー係合部12の回動先端側の壁部を高くして前記突き当たるストッパー壁部11を形成して途中ストッパー部５を設け、カム部４は案内カム部３に対して相対回動するに際して常に弾性部10によって押圧されているためカム部４は浮き上がり誤作動なくこの途中ストッパー部５によって回動が必ず阻止されてストッパー係合部12に落ち込み、このストッパー係合部12の途中ストッパー部５と反対の回動基端側の壁部は低くすると共にこれをテーパ壁面９としているからカム部４を戻り動させるとこのテーパ壁面９によって案内カム部３が径方向の回動軸21を離れる方向に押しやられてを逃動するように構成している。
【００５７】
このストッパー係合部12からカム部４が外れつつ案内カム部３を押しやる逆回動案内ルートを逆回動ルート変更部７として構成し、更に案内カム部３が押しやられることでその案内カム部３を押しやった位置をカム部４で保持する段部24を回動方向に形成し、この段部24に沿ってカム部４が移動するルートを別ルート案内部６とし、この別ルート案内部６では途中ストッパー部５とは無関係に案内カム部３を径方向に押しやった状態を前記段部24で保持しつつ更にカム部４を回動できるように構成している。
【００５８】
そして本実施例ではカム部４が回動終点にくると、この段部24がなくなり自動的に弾性部10の戻り付勢によって案内カム部３が径方向の回動軸21に近づく方向に戻り動し、途中ストッパー部５を通過する通常ルート案内部８にカム部４が戻り、この通常ルート案内部８に沿ってカム部４を戻し回動することでカム部４は途中ストッパー部５を飛び落ち、いわば上段から下段へ飛び降りるようにしてストッパー係合部12の凹部上方を飛び越えて戻り動するように構成している。
【００５９】
本実施例では、回動移動の終点位置で別ルート案内部６から通常ルート案内部８へ戻るように構成したが、通常ルート案内部８を戻らずに回動始点位置まで戻り回動してはじめて通常ルート案内部８に戻るようにしても良いし、回動始点位置から回動することで途中ストッパー部５に回動阻止されるルートに案内カム部３の移動によって自動的に切り替わる構成とし、このように切り替わって途中ストッパー部５に回動阻止されるルートを通常ルート案内部８としてとらえても良い。
【００６０】
また前述のようにストッパー係合部12に係合することで案内カム部３が付勢によって戻り動してこの一旦ストッパー係合部12に係合した状態で戻り案内カム部３が戻り移動した状態でカム部４が戻り回動することで別ルート案内部６へとルート変更されるように構成しても良い。
【００６１】
いずれにしても、案内カム部３の径方向の移動タイミングを含めてカム部４が案内される案内カム部３の凹凸形状によって本発明を実現する構成であって、容易にヒンジ装置に組み込むことができ、必ず一旦途中の所定位置で係合クリックでき、過回動を確実に阻止できる構成でありながら、単に少し逆回動させるだけでルート変更が自動的に行われ、今度はスムーズに更なる回動ができる構成となるヒンジ装置としている。
【００６２】
また、本実施例では、回動始点位置（０度）と回動終点位置（１８０度）とで係合クリックする係合クリック機構を更に設けた構成としている。
【００６３】
即ち、前記筒状ヒンジ装置とした第一連結部１Ａにこれと共に回動する別回動軸25を設け、この別回動軸25の基端には前記回動軸21を軸支する前記軸受部20を設けるが、この別回動軸25にこの軸方向スライド自在にしてクリック係合付勢されるクリック用カム部27を回り止め状態に設け、このクリック用カム部27の相対回動によって回動始点位置と回動終点位置とで互いに凹凸係合するクリック用カム係合部28を第二連結部２Ａに設けた構成としている。
【００６４】
尚、前述のように、この係合クリック機構において途中ストッパー部５でカム部４が回動阻止される位置に（０度と１８０度との間の位置にも）凹凸係合するように構成し、案内カム部３とカム部４とには係合クリック機能を持たさせず回動ストッパーとルート案内だけとしても良い。
【００６５】
このように構成したヒンジ装置によって、例えば操作部を設けた本体部とディスプレイ部を設けた重合部とを重合閉塞位置から開放回動自在に連結して電子機器を構成する。例えば本実施例１では、携帯電話に本発明を適用し、本体部を第一部材１とし、重合部を第二部材２とした前記ヒンジ装置によって端部同志を連結して、携帯電話の使用位置である重合閉塞位置から１６０度開放回動した回動閉塞位置で、途中ストッパー部５によって回動阻止されるように構成し、そして少し逆回動すると更に１８０度開放回動できるように構成している。
【実施例２】
【００６６】
実施例２では、本体部と重合部とその間に設けるヒンジ基体13とを夫々回動自在に連結して本体部に対して重合部をヒンジ基体13を介して３６０度回動自在に構成するに際して、前記本体部を第一部材１とし、ヒンジ基体13を前記第二部材２として本体部とヒンジ基体13とを第一ヒンジ装置で連結し、前記重合部を第一部材１とし、ヒンジ基体13を第二部材２として重合部とヒンジ基体13とを第二ヒンジ装置で連結し、本実施例では前記第一ヒンジ装置と前記第二ヒンジ装置の双方とも前述したヒンジ装置を採用し、第一ヒンジ装置と第二ヒンジ装置が同期して連動回動するように構成した二つのヒンジ装置から成る二軸のヒンジ装置によって前記本体部と前記重合部とを前記ヒンジ基体13を介して３６０度回動自在に連結して、本体部と重合部とを重合した重合閉塞位置から所定角度重合部を起伏回動した回動開放位置で前記途中ストッパー部５により回動が阻止され、重合部を一旦逆回動することで更に開放回動でき互いに背合わせ重合した３６０度開放重合位置まで回動できるように構成している。
【００６７】
即ち、本実施例では、本発明に係るヒンジ装置を本体部と重合部との間に面一状態に配設するヒンジ基体13に組み込むが、このヒンジ基体13に回動軸21、別回動軸25を夫々二軸並設状態にしてヒンジ基体13に組み込む構成とし、前記ヒンジ装置の各第二連結部２Ａをヒンジ基体13にこれを第二部材２として組み込み、各第一連結部１Ａを夫々本体部と重合部とに回り止め状態に設ける構成としている。
【００６８】
また、この場合、各別回動軸25の前記第二連結部２Ａを貫通した各端部にこの別回動軸25と共回りするロータリー部29を夫々設け、このロータリー部29間を連動リンク部30で連結して共回りするように構成し、同期して連動回動するように構成している。
【００６９】
従って、ヒンジ基体13を固定した状態で動きを見れば、これに第一ヒンジ装置で連結した本体部と第二ヒンジ装置で連結した重合部とは夫々１８０度連動回動し、ヒンジ基体13に対して常に同角度では回動しないが連動回動するように構成している。
【００７０】
このようにして、本体部に対して重合部を３６０度回動するが、使用状態となる本体部に対して重合部が１６０度回動した回動位置となる時に案内カム部３に対してカム部４が位置する部位に途中ストッパー部５を設け、この途中ストッパー部５にストッパー係合部12を設けて係合クリックするように構成し、別に設けた係合クリック機構によって０度と３６０度で係合クリックするように構成している（尚、この場合も途中ストッパー部５によって回動阻止される位置でも係合クリックするように構成し、前記ストッパー係合部12を案内カム部３に設けない構成としても良い。）。
【００７１】
従って、この実施例２における二軸構成のヒンジ装置の第一ヒンジ装置も第二ヒンジ装置も本発明に係るヒンジ装置を採用するが、使用位置例えば１６０度位置での各案内カム部３に対するカム部４の位相（相対回動位置）は異なるため、双方とも全く同一構造ではなく、例えば同様の構造ではあるが、案内カム部３の形状設定は少し異なる。
【００７２】
尚、本発明は、実施例１，実施例２に限られるものではなく、各構成要件の具体的構成は適宜設計し得るものである。
【図面の簡単な説明】
【００７３】
【図１】実施例１の説明斜視図である。
【図２】実施例１の開閉回動動作を示す説明側面図である。
【図３】実施例１のヒンジ装置の組み付け状態の説明斜視図である。（薄墨を施した部材は共回りする部材を示す。）
【図４】実施例１のヒンジ装置の説明分解斜視図である。（薄墨を施した部材は共回りする部材を示す。）
【図５】実施例２の説明斜視図である。
【図６】実施例２のヒンジ装置の組み付け状態の説明斜視図である。
【図７】実施例２のヒンジ装置を図６とは異なる方向から見た説明斜視図である。
【図８】実施例２のヒンジ装置の説明分解斜視図である。
【図９】実施例２のヒンジ装置を図８とは異なる方向から見た説明分解斜視図である。
【図１０】実施例２の開閉回動動作を示す作動説明側断面図である。
【図１１】実施例２の重合閉塞状態から１８０度開放状態までの連動リンク部による連動回動動作を示す作動説明側断面図である。
【図１２】実施例２の反転回動途中と３６０度反転重合状態の連動リンク部による連動回動動作を示す作動説明側断面図である。
【図１３】実施例２のヒンジ装置の本体側軸（第一ヒンジ装置）の説明分解斜視図である。（薄墨を施した部材は共回りする部材を示す。）
【図１４】実施例２のヒンジ装置の本体側軸（第一ヒンジ装置）の案内カム部の斜視図と側面図である。
【図１５】実施例２のヒンジ装置の本体側軸（第一ヒンジ装置）、及び重合部側軸（第二ヒンジ装置）の案内カム部とカム部の斜視図と平面図である。
【図１６】実施例２のヒンジ装置の開放回動における第一ヒンジ装置の案内カム部に対するカム部の０度から６５度までの作動説明平面図である。
【図１７】実施例２のヒンジ装置の開放回動における第一ヒンジ装置の案内カム部に対するカム部の１００度から１８０度までの作動説明平面図である。
【図１８】実施例２のヒンジ装置の戻り回動における第一ヒンジ装置の案内カム部に対するカム部の作動説明平面図である。
【図１９】実施例２のヒンジ装置の開放回動における第一ヒンジ装置の案内カム部に対するカム部の作動説明斜視図である。
【図２０】実施例２のヒンジ装置の戻り回動における第一ヒンジ装置の案内カム部に対するカム部の作動説明斜視図である。
【図２１】実施例２のヒンジ装置の案内カム部の径方向の動きを示す作動説明斜視図である。
【図２２】実施例２のヒンジ装置の説明平断面図である。
【符号の説明】
【００７４】
１  第一部材
１Ａ  第一連結部
２  第二部材
２Ａ  第二連結部
３  案内カム部
４  カム部
５  途中ストッパー部
６  別ルート案内部
７  逆回動ルート変更部
８  通常ルート案内部
９  テーパ壁面
10  弾性部（バネ）
11  ストッパー壁面
12  ストッパー係合部
13  ヒンジ基体
【図１】
2008101760.tif 000003
【図２】
2008101760.tif 000004
【図５】
2008101760.tif 000005
【図６】
2008101760.tif 000006
【図７】
2008101760.tif 000007
【図８】
2008101760.tif 000008
【図９】
2008101760.tif 000009
【図１０】
2008101760.tif 000010
【図１１】
2008101760.tif 000011
【図１２】
2008101760.tif 000012
【図１４】
2008101760.tif 000013
【図１５】
2008101760.tif 000014
【図１６】
2008101760.tif 000015
【図１７】
2008101760.tif 000016
【図１８】
2008101760.tif 000017
【図１９】
2008101760.tif 000018
【図２０】
2008101760.tif 000019
【図２１】
2008101760.tif 000020
【図２２】
2008101760.tif 000021
【図３】
2008101760.tif 000022
【図４】
2008101760.tif 000023
【図１３】
2008101760.tif 000024